【手続補正書】
【提出日】平成19年10月16日(2007.10.16)
【手続補正１】
【補正対象書類名】明細書
【補正対象項目名】特許請求の範囲
【補正方法】変更
【補正の内容】
【特許請求の範囲】
【請求項１】  受信されているデータのサンプルがバッファの記憶容量を超えるか否かを判断するステップと、
記憶容量を超えることに応答して、バッファから選択されたデータのサンプルを消去するステップと、
消去された、選択されたデータのサンプルを再構成するステップとを含む、方法。
【請求項２】  記憶容量を超えることに応答して、バッファから選択されたデータのサンプルを消去するステップはさらに、
バッファ内に一時的に記憶されたデータの連続的なブロックにある、選択されたサンプルを消去するステップを含む、請求項１に記載の方法。
【請求項３】  記憶容量を超えることに応答して、バッファから選択されたデータのサンプルを消去するステップはさらに、
バッファ内に一時的に記憶されたデータのｎ番目のサンプルごとに選択されたサンプルを消去するステップを含む、請求項１に記載の方法。
【請求項４】  バッファ内に一時的に記憶されたデータの連続的なブロックにある選択されたサンプルを消去するステップはさらに、
消去されている連続的なブロックを規定する開始ポイントおよび終了ポイントの位置を記録するステップを含む、請求項２に記載の方法。
【請求項５】  消去された、選択されたデータのサンプルを再構成するステップはさらに、
記録された位置に部分的に基づいて、消去された、選択されたデータのサンプルを再構成するステップとを含む、請求項４に記載の方法。
【請求項６】  バッファ内に一時的に記憶されたデータのｎ番目のサンプルごとに選択されたサンプルを消去するステップはさらに、
消去されているｎ番目のサンプルを規定する開始ポイントおよび終了ポイントの位置を記録するステップを含む、請求項３に記載の方法。
【請求項７】  消去された、選択されたデータのサンプルを再構成するステップはさらに、
記録された位置に部分的に基づいて、消去された、選択されたデータのサンプルを再構成するステップを含む、請求項６に記載の方法。
【請求項８】  受信されているデータのサンプルがバッファの記憶容量を超えるか否
かを判断するステップと、
記憶容量を超えることに応答して、バッファから選択されたデータのサンプルを消去するステップと、
消去された、選択されたデータのサンプルを再構成するステップと、
サンプルバッファから受信されるサンプル上でシンボルアライメントおよびタイムドメイン等化を行なうステップとを含む、方法。
【請求項９】  受信されているデータのサンプルがバッファの記憶容量を超えるか否かを判断するステップと、
記憶容量を超えることに応答して、バッファから選択されたデータのサンプルを消去するステップと、
消去された、選択されたデータのサンプルを再構成するステップと、
バッファの記憶容量を超えていないことに応答して、サンプルバッファから受信されるサンプル上でシンボルアライメントおよびタイムドメイン等化を行なうステップとを含む、方法。
【請求項１０】  受信されているデータのサンプルがバッファの記憶容量を超えるか否かを判断するステップと、
記憶容量を超えることに応答して、バッファから選択されたデータのサンプルを消去するステップと、
消去された、選択されたデータのサンプルを再構成するステップと、
消去された、選択されたデータのサンプルを再構成した後にバッファの記憶容量を超えることに応答して、サンプルバッファから受信されるサンプル上でシンボルアライメントおよびタイムドメイン等化を行なうステップとを含む、方法。
【請求項１１】  受信されているデータのサンプルがバッファの記憶容量を超えるか否かを判断するステップと、
記憶容量を超えることに応答して、バッファからのデータのサンプルを圧縮するステップと、
圧縮されたデータのサンプルを復元するステップとを含む、方法。
【請求項１２】  データのサンプルを圧縮するステップはさらに、
記憶容量を超えることに応答して、バッファからのデータのサンプルを丸める(round)ステップを含む、請求項１１に記載の方法。
【請求項１３】  データのサンプルを圧縮するステップはさらに、
記憶容量を超えることに応答して、バッファからのデータのサンプルを切捨てるステップを含む、請求項１１に記載の方法。
【請求項１４】  記憶容量を超えることに応答してバッファからのデータのサンプルを圧縮するステップはさらに、
圧縮されているデータを規定する開始ポイントおよび終了ポイントの位置を記録するステップを含む、請求項１２に記載の方法。
【請求項１５】  圧縮されたデータのサンプルを復元するステップはさらに、
記録された位置に部分的に基づいて、圧縮されたデータのサンプルを復元するステップとを含む、請求項１４に記載の方法。
【請求項１６】  データのサンプルを受信するように適合された受信機と、
受信されるデータのサンプルを記憶するように適合されたバッファと、
受信されているデータのサンプルがバッファの記憶容量を超えるか否かを判断し、記憶容量を超えることに応答して、バッファから選択されたデータのサンプルを消去し、さらには、消去された、選択されたデータのサンプルを再構成するように適合された制御装置とを含む、装置。
【請求項１７】  制御装置は、バッファ内に一時的に記憶されたデータの連続的なブロックにある、選択されたサンプルを消去するようにさらに適合された、請求項１６に記載の装置。
【請求項１８】  制御装置は、バッファ内に一時的に記憶されたデータのｎ番目のサ
ンプルごとに選択されたサンプルを消去するようにさらに適合された、請求項１６に記載の装置。
【請求項１９】  制御装置は、消去されている連続的なブロックを規定する開始ポイントおよび終了ポイントの位置を記録するようにさらに適合された、請求項１７に記載の装置。
【請求項２０】  制御装置は、記録された位置に部分的に基づいて、消去された、選択されたデータのサンプルを再構成するようにさらに適合された、請求項１９に記載の装置。
【請求項２１】  制御装置は、記録された位置に部分的に基づいて、消去されているｎ番目のサンプルを規定する開始ポイントおよび終了ポイントの位置を記録するようにさらに適合された、請求項１８に記載の装置。
【請求項２２】  制御装置は、記録された位置に部分的に基づいて、消去された、選択されたデータのサンプルを再構成するようにさらに適合された、請求項２１に記載の装置。
【請求項２３】  データのサンプルを受信するように適合された受信機と、
受信されるデータのサンプルを記憶するように適合されたバッファと、
受信されているデータのサンプルがバッファの記憶容量を超えるか否かを判断し、記憶容量を超えることに応答して、バッファからのデータのサンプルを圧縮し、さらには、圧縮されたデータのサンプルを復元するように適合された制御装置とを含む、装置。
【請求項２４】  制御装置は、
記憶容量を超えることに応答して、バッファからのデータのサンプルを丸める(round)ようにさらに適合された、請求項２３に記載の装置。
【請求項２５】  制御装置は、
記憶容量を超えることに応答して、バッファからのデータのサンプルを切捨てるようにさらに適合された、請求項２３に記載の装置。
【請求項２６】  制御装置は、
圧縮されているデータを規定する開始ポイントおよび終了ポイントの位置を記録するようにさらに適合された、請求項２４に記載の装置。
【請求項２７】  制御装置は、
記録された位置に部分的に基づいて、圧縮されたデータのサンプルを復元するようにさらに適合された、請求項２６に記載の装置。
【請求項２８】  受信されているデータのサンプルがバッファの記憶容量を超えるか否かを判断するステップと、
記憶容量を超えることに応答して、バッファから選択されたデータのサンプルを消去するステップとを含み、
選択されたサンプルを消去するステップは、消去されたサンプルに関連付けられた少なくとも１つのバッファ位置を決定するステップと、消去された、選択されたサンプルを再構成するステップとを含む、方法。
【請求項２９】  消去されたサンプルに関連付けられた少なくとも１つのバッファ位置を決定するステップは、消去されたサンプルに関連付けられた開始および終了バッファ位置を決定するステップを含む、請求項２８に記載の方法。
【請求項３０】  消去された、選択されたサンプルを再構成するステップは、決定されたバッファ位置に部分的に基づいて、消去された、選択されたデータのサンプルを再構成するステップを含む、請求項２８に記載の方法。